(57)【要約】【課題】鉄道線路等のバラスト道床用コンクリートブロックの移動、設置工程においてブロックの搬送から、施工を工事者の安全確保を前提として省力、省時間とする器具が必要である。【解決手段】前記コンクリートブロック移動吊具であって、２ブロックを同時に搬送形態のまま安定吊り上げ移動し、これを２ブロック同時に吊戻し設置可能とする２ブロック姿勢制限機構および受動ロック付きテーパーピンを一体装備したコンクリートブロック移動吊具。【選択図】図１
2011231603.tif 000002
【特許請求の範囲】
【請求項１】
鉄道線路等のバラスト道床用コンクリートブロックの吊り上げ吊戻し具に関わり、搬送、施工工程において前記コンクリートブロック２基同時の吊り上げ移動、吊戻し施工を２連のアングル部およびアングル下部に設置の受動ロック付きテーパーピンを以て可能とする２ブロック同時吊具。
【請求項２】
鉄道線路等のバラスト道床用コンクリートブロックの吊り上げ吊戻し具に関わり、請求項１記述の２連のアングル部は、搬送形態もしくは施工形態に基づく当該ブロック前面立面または背面立面とブロック保護緩衝材図１  １．３を介して接し支持、各アングル下部に設置の受動ロック付きテーパーピンは、前記各ブロック立面下部を貫通構築する水抜き穴に挿入されると同時に抜け防止ロック機構を以て前記アングル部とともに２ブロックの前後背面の姿勢安定状態を齎す。
【請求項３】
請求項１、請求項２コンクリート２ブロック同時吊具に関わり、各アングル下部設置の受動ロック付きピンは、外形テーパ形状を持ち、ピン抜け防止シーソー型フック機構を内蔵、前記２基のコンクリートブロック長さ方向の水平姿勢保持の効果を持つ。
【発明の詳細な説明】
【技術分野】
【０００１】本発明は、複数のブロックを左右に連結して鉄道線路等の路盤上に敷設することにより、歩行面を確保しバラストの流出を留めるためのバラスト道床用ブロックの搬送、移動施工を２ブロック同時に実施可能な吊具に関する。
【背景技術】
【０００２】鉄道線路等のバラスト道床用コンクリートブロックにはＬ字型ブロック、Ｔ字型ブロック等各種の構造がある。このブロックを施工現場までいくつかの工程を経由して搬送されるが、とくに施工現場の限られた時間内での作業はより効率的かつ安全な搬送が求められる。
【発明の概要】
【発明が解決しようとする課題】
【０００３】鉄道線路等のバラスト道床用コンクリートブロック設置においては限られた時間、人員で施工をしなければならない。しかしながら大型の重機等が使用出来ない環境においては、人力を以て対応せざる得ない。安全を前提としてより効率的な搬送、施工が求められる。
また施工に合わせたコンクリートブロック各種の形状の故、搬送、吊り上げに不向きな形状となっているため作業者にとって大変危険であるばかりでなく、資材の破損の危惧を含んでいる。また作業撤収において施工補助部材の構成は一体であることが置き忘れ防止管理上も重要である。
【課題を解決するための手段】
【０００４】バラスト道床用コンクリートブロックの吊具は、前記課題を解決する為以下の構成となっている。
最小限の人力で前記ブロックを２ブロック同時に吊り上げ可能な一体型吊具。
前記ブロックへの装着、離脱を迅速に実施可能かつ脱落しない構造とする。
吊り上げ移動時における図２に示す２ブロックＸ方向（長手方向）、Ｚ方向（前後方向）バランスを常に維持可能とする。【０００５】バラスト道床用コンクリートブロックには図１．１ｃ  符号Ｂに示す水抜き穴が構造的にブロックの幅方向に貫通している。本発明は図３に示す如く、符号１．１  及び  １．２  の２連アングル部と、  符号１．５  及び  １．６  受動ロック付きテーパーピンを前記水抜き穴に挿入し２ブロックを同時に吊り上げることを当発明第一の構成とする。【０００６】吊り上げ時の安定姿勢制御に関して、前記２ブロックの前背面方向安定（図２  Ｚ方向（前後方向））には、当発明吊具図１  符号１．１  および  １．２のアングル部、当該吊具アングル下部に設置の符号１．５  および  １．６受動ロック付きテーパーピンの本体、および受動ロック付きテーパーピン内に設置された図５ｂ  シーソー型フック１ｂ２符号１ｂ２ｂ部が相互効果することを当発明第二の構成とする。【０００７】前記２ブロックの水平方向（図２  Ｘ方向（長手方向））分離崩れは、当発明吊具図１  符号１．１  および  １．２のアングル部、当該吊具アングル下部に設置の符号１．５  および  １．６受動ロック付きテーパーピン本体によって防止されると同時に、当該テーパーピン内部のピン抜け防止シーソー型フック機構によりブロック落下防止されることを当発明第三の構成とする。
【発明の効果】
【０００９】バラスト道床用コンクリートブロック搬送、施工工程における吊り上げ移動、吊戻し施工を２ブロック同時に最小限の人力で短時間で安全に実施可能となる。【００１０】以下に、本発明に係る実施例を、図面を参照して説明する。
【実施例１】図１．１ａ、１．１ｂ、１．１ｃはバラスト道床用コンクリートブロック単体の構造例を示している。
本発明は図２のごとく前記ブロック２個を同時に吊り上げ搬送可能とする吊具である。
図３ごとく本発明吊具を図２の２ブロックに装着することにより吊具本体アングル、アングル下部２個所の受動ロック付きテーパーピンにより２ブロックが一体固定され、更に前記テーパーピン内シーソー型フックの上昇によりブロックの抜け落ちを防止している。
図１ａは吊具本体構造正面図を示している。
一体型アングルと下部２個所の受動ロック付きテーパーピンの構造となっている。
図１ｂは側面図である。
図１．１ａはバラスト道床用コンクリートブロック単体の平面図例。
図１．１ｂはバラスト道床用コンクリートブロック単体の側面図例。
符号１ｂ１は受動ロック付きピン、符号１ｂ２はシーソー型フックを示す。
図１．１ｃはバラスト道床用コンクリートブロック単体の正面図例。
図２は本発明の吊具を装着する上記図１．１ｃブロックを並べた状態を示す。
図３は本発明の２ブロック対応吊具を装着した図である。
本発明の吊具アングル下部受動ロック付きテーパーピンをバラスト道床用コンクリートブロックの水抜き穴に挿入した状態を示す。
【図１】
2011231603.tif 000003
【図１ａ】
2011231603.tif 000004
【図１ｂ】
2011231603.tif 000005
【図２】
2011231603.tif 000006
【図３】
2011231603.tif 000007
【図１．１ａ】
2011231603.tif 000008
【図１．１ｂ】
2011231603.tif 000009
【図１．１ｃ】
2011231603.tif 000010
【図４】
2011231603.tif 000011
【図５】
2011231603.tif 000012
【図６】
2011231603.tif 000013
【手続補正書】
【提出日】平成22年9月2日(2010.9.2)
【手続補正１】
【補正対象書類名】明細書
【補正対象項目名】全文
【補正方法】変更
【補正の内容】
【発明の詳細な説明】
【技術分野】
【０００１】
本発明は、複数のブロックを左右に連結して鉄道線路等の路盤上に敷設することにより、歩行面を確保しバラストの流出を留めるためのバラスト道床用ブロックの搬送、移動施工を２ブロック同時に実施可能な吊具に関する。
【背景技術】
【０００２】
鉄道線路等のバラスト道床用コンクリートブロックにはＬ字型ブロック、Ｔ字型ブロック等各種の構造がある。このブロックを施工現場までいくつかの工程を経由して搬送されるが、とくに施工現場の限られた時間内での作業はより効率的かつ安全な搬送が求められる。
【発明の概要】
【発明が解決しようとする課題】
【０００３】
鉄道線路等のバラスト道床用コンクリートブロック設置においては限られた時間、人員で施工をしなければならない。しかしながら大型の重機等が使用出来ない環境においては、人力を以て対応せざる得ない。安全を前提としてより効率的な搬送、施工が求められる。
また施工に合わせたコンクリートブロック各種の形状の故、搬送、吊り上げに不向きな形状となっているため作業者にとって大変危険であるばかりでなく、資材の破損の危惧を含んでいる。また作業撤収において施工補助部材の構成は一体であることが置き忘れ防止管理上も重要である。
【課題を解決するための手段】
【０００４】
バラスト道床用コンクリートブロックの吊具は、前記課題を解決する為以下の構成となっている。
最小限の人力で前記ブロックを２ブロック同時に吊り上げ可能な一体型吊具。
前記ブロックへの装着、離脱を迅速に実施可能かつ脱落しない構造とする。
吊り上げ移動時における図２に示す２ブロックＸ方向（長手方向）、Ｚ方向（前後方向）バランスを常に維持可能とする。
【０００５】
バラスト道床用コンクリートブロックには図１．１ｃ  符号Ｂに示す水抜き穴が構造的にブロックの幅方向に貫通している。本発明は図３に示す如く、符号１．１  及び  １．２  の２連アングル部と、  符号１．５  及び１．６  受動ロック付きテーパーピンを前記水抜き穴に挿入し２ブロックを同時に吊り上げることを当発明第一の構成とする。
【０００６】
吊り上げ時の安定姿勢制御に関して、前記２ブロックの前背面方向安定（図２  Ｚ方向（前後方向））には、当発明吊具図１  符号１．１  および  １．２のアングル部、当該吊具アングル下部に設置の符号１．５  および  １．６受動ロック付きテーパーピンの本体、および受動ロック付きテーパーピン内に設置された図５ｂ  シーソー型フック１ｂ２符号１ｂ２ｂ部が相互効果することを当発明第二の構成とする。
【０００７】
前記２ブロックの水平方向（図２  Ｘ方向（長手方向））分離崩れは、当発明吊具図１  符号１．１  および  １．２のアングル部、当該吊具アングル下部に設置の符号１．５  および  １．６受動ロック付きテーパーピン本体によって防止されると同時に、当該テーパーピン内部のピン抜け防止シーソー型フック機構によりブロック落下防止されることを当発明第三の構成とする。
【発明の効果】
【０００８】
バラスト道床用コンクリートブロック搬送、施工工程における吊り上げ移動、吊戻し施工を２ブロック同時に最小限の人力で短時間で安全に実施可能となる。
【０００９】
以下に、本発明に係る実施例を、図面を参照して説明する。
【実施例１】
【００１０】
図１．１ａ、１．１ｂ、１．１ｃは
バラスト道床用コンクリートブロック単体の構造例を示している。
本発明は図２のごとく前記ブロック２個を同時に吊り上げ搬送可能とする吊具である。
図３ごとく本発明吊具を図２の２ブロックに装着することにより吊具本体アングル、アングル下部２個所の受動ロック付きテーパーピンにより２ブロックが一体固定され、更に前記テーパーピン内シーソー型フックの上昇によりブロックの抜け落ちを防止している。  
図１ａは吊具本体構造正面図を示している。
一体型アングルと下部２個所の受動ロック付きテーパーピンの構造となっている。
図１ｂは側面図である。
図１．１ａはバラスト道床用コンクリートブロック単体の平面図例。
図１．１ｂはバラスト道床用コンクリートブロック単体の側面図例。
符号１ｂ１は受動ロック付きピン、符号１ｂ２はシーソー型フックを示す。
図１．１cはバラスト道床用コンクリートブロック単体の正面図例。
図２は本発明の吊具を装着する上記図１．１ｃブロックを並べた状態を示す。
図３は本発明の２ブロック対応吊具を装着した図である。本発明の吊具アングル下部受動ロック付きテーパーピンをバラスト道床用コンクリートブロックの水抜き穴に挿入した状態を示す。
【図面の簡単な説明】
【００１１】
【図１】本発明のブロック吊具正面図
【図１ａ】本発明吊具正面図
【図１ｂ】本発明吊具側面図
【図１．１ａ】バラスト道床用コンクリートブロック単体平面図
【図１．１ｂ】バラスト道床用コンクリートブロック単体側面図
【図１．１ｃ】バラスト道床用コンクリートブロック単体正面図
【図２】本発明吊具装着前のバラスト道床用コンクリートブロック単体２個
【図３】本発明吊具装着後の状態
【図４】テーパーピン  平面図、側面図
【図５】テーパピン挿入状態図
【図６】シーソー型フック正面図
【符号の説明】
【００１２】
1.1  吊具本体アングル
1.2 
吊具本体アングル
1.3   ブロック保護緩衝材
1.4 
吊り上げ用フック
1.5  受動ロック付きピン
1.6 
受動ロック付きピン
1b1  受動ロック付きピン（テーパーピン本体）
2.1  バラスト道床用コンクリートブロック単体
2.2  バラスト道床用コンクリートブロック単体
2.3  水抜き穴
B   水抜き穴